(57)【特許請求の範囲】
【請求項１】
コンタクトガラスと、
前記コンタクトガラスの下方に配置され、所定の身分証明カードの配置位置を指示する配置位置指示部と、
前記コンタクトガラス上の所定範囲の画像を読み取る移動光学系と、
前記所定範囲の画像における、前記配置位置指示部により指示される前記配置位置に対応する領域から前記身分証明カードの画像を抽出するカード画像取得部と、
を備え、
前記配置位置指示部は、前記コンタクトガラスの副走査方向の後端の下方に配置されていること、
を特徴とする画像読取装置。
【請求項２】
コンタクトガラスと、
前記コンタクトガラスの下方に配置され、所定の身分証明カードの配置位置を指示する配置位置指示部と、
前記コンタクトガラス上の所定範囲の画像を読み取る移動光学系と、
前記所定範囲の画像における、前記配置位置指示部により指示される前記配置位置に対応する領域から前記身分証明カードの画像を抽出するカード画像取得部と、
を備え、
前記配置位置指示部は、主走査方向に沿って前記身分証明カードの複数の配置位置を指示すること、
を特徴とする画像読取装置。
【請求項３】
コンタクトガラスと、
前記コンタクトガラスの下方に配置され、所定の身分証明カードの配置位置を指示する配置位置指示部と、
前記コンタクトガラス上の所定範囲の画像を読み取る移動光学系と、
前記所定範囲の画像における、前記配置位置指示部により指示される前記配置位置に対応する領域から前記身分証明カードの画像を抽出するカード画像取得部と、
を備え、
前記配置位置指示部は、前記配置位置に対応して前記身分証明カードの読取面を指示する表示を有すること、
を特徴とする画像読取装置。
【請求項４】
コンタクトガラスと、
前記コンタクトガラスの下方に配置され、所定の身分証明カードの配置位置を指示する配置位置指示部と、
前記コンタクトガラス上の所定範囲の画像を読み取る移動光学系と、
前記所定範囲の画像における、前記配置位置指示部により指示される前記配置位置に対応する領域から前記身分証明カードの画像を抽出するカード画像取得部と、
印刷用紙に画像を印刷する印刷部と、
前記印刷部に、抽出された前記身分証明カードの画像を印刷させるカード画像出力部とを備え、
前記カード画像出力部は、前記身分証明カードの画像の位置を副走査方向において内側に所定長さずらして、前記印刷部に、前記身分証明カードの画像の印刷を行わせること、
を特徴とする画像読取装置。
【発明の詳細な説明】
【技術分野】
【０００１】
本発明は、画像読取装置に関するものである。
【背景技術】
【０００２】
ある画像読取装置は、小サイズ原稿を、読取位置で屈曲した搬送路に沿って自動原稿送り装置で搬送し、小サイズ原稿の画像を、その読取位置で読み取っている（例えば特許文献１参照）。
【０００３】
しかしながら、硬質な身分証明カード（例えば個人番号カードなど）が原稿である場合、搬送路に合わせてほとんど撓まないため、上述のように自動原稿送り装置を使用して、硬質な身分証明カードの画像を読み取ることは困難である。
【０００４】
あるフラットベッド型の画像読取装置は、コンタクトガラス上に載置された免許証の画像を、Ａ４などの所定サイズのスキャン画像から切り出している（例えば特許文献２参照）。
【先行技術文献】
【特許文献】
【０００５】
【特許文献１】特開２０１１−９３６３１号公報
【特許文献２】特開２０１０−２８３４９２号公報
【発明の概要】
【発明が解決しようとする課題】
【０００６】
しかしながら、上述のように、所定サイズのスキャン画像から公的な身分証明カード（個人番号カード、運転免許証など）の画像を切り出す場合、そのスキャン画像において、エッジなどを検出して身分証明カードの画像の位置およびサイズを特定し、その位置およびサイズに基づいて身分証明カードの画像を切り出す必要がある。また、エッジが正確に検出できない場合には、身分証明カードの記載事項の特徴的なレイアウトなどに基づいて、身分証明カードの画像を切り出す必要がある。
【０００７】
このように、上述の画像読取装置で、硬質プラスティックなどが基材となっている硬質な身分証明カードの画像データを取得する場合、所定サイズのスキャン画像に対して各種画像処理を行う必要があるため、正確にかつ短時間でそのような身分証明カードの画像データを取得することは困難である。
【０００８】
本発明は、上記の問題に鑑みてなされたものであり、正確にかつ短時間で身分証明カードの画像データを取得することができる画像読取装置を得ることを目的とする。
【課題を解決するための手段】
【０００９】
本発明に係る画像読取装置は、コンタクトガラスと、前記コンタクトガラスの下方に配置され、所定の身分証明カードの配置位置を指示する配置位置指示部と、前記コンタクトガラス上の所定範囲の画像を読み取る移動光学系と、前記所定範囲の画像における、前記配置位置指示部により指示される前記配置位置に対応する領域から前記身分証明カードの画像を抽出するカード画像取得部とを備える。そして、（Ａ）前記配置位置指示部は、前記コンタクトガラスの副走査方向の後端の下方に配置されているか、（Ｂ）前記配置位置指示部は、主走査方向に沿って前記身分証明カードの複数の配置位置を指示するか、（Ｃ）前記配置位置指示部は、前記配置位置に対応して前記身分証明カードの読取面を指示する表示を有するか、（Ｄ）印刷用紙に画像を印刷する印刷部と、前記印刷部に、抽出された前記身分証明カードの画像を印刷させるカード画像出力部とをさらに備え、前記カード画像出力部は、前記身分証明カードの画像の位置を副走査方向において内側に所定長さずらして、前記印刷部に、前記身分証明カードの画像の印刷を行わせる。
【発明の効果】
【００１０】
本発明によれば、正確にかつ短時間で身分証明カードの画像データを取得することができる画像読取装置が得られる。
【００１１】
本発明の上記又は他の目的、特徴および優位性は、添付の図面とともに以下の詳細な説明から更に明らかになる。
【図面の簡単な説明】
【００１２】
【図１】図１は、本発明の実施の形態に係る画像読取装置を示す斜視図である。
【図２】図２は、実施の形態１に係る画像読取装置を示す上面図である。
【図３】図３は、本発明の実施の形態に係る画像読取装置の電気的な構成を示すブロック図である。
【図４】図４は、実施の形態１に係る画像読取装置の動作を説明するフローチャートである。
【図５】図５は、実施の形態２に係る画像読取装置を示す上面図である。
【発明を実施するための形態】
【００１３】
以下、図に基づいて本発明の実施の形態を説明する。
【００１４】
実施の形態１．
【００１５】
図１は、本発明の実施の形態に係る画像読取装置を示す斜視図である。図１に示す画像読取装置は、スキャナー、複写機、デジタル複合機などといった装置である。
【００１６】
図１において、コンタクトガラス１は、当該画像読取装置本体の上面に設置され、画像読取時に原稿などの被読取物が載置される透明な載置台である。
【００１７】
原稿ガイド２は、主走査方向に沿って配置された細長な略長方形の平板部材である。原稿ガイド３は、副走査方向に沿って配置された細長な略長方形の平板部材である。Ａ３、Ａ４などの定型サイズの通常のシート原稿は、原稿ガイド２と原稿ガイド３との交点を基準点として、原稿ガイド２および原稿ガイド３に原稿を当接させた状態で原稿がコンタクトガラス１上に載置される。
【００１８】
また、移動光学系４は、コンタクトガラス１上の所定範囲の画像を光学的に読み取る。具体的には、移動光学系４は、図示せぬ駆動装置によって図示せぬレールに沿って副走査方向に移動可能に設置されており、主走査方向における所定の幅の１次元画像を、副走査方向に移動しながら繰り返し連続して読み取ることで、コンタクトガラス１上の所定範囲の画像を読み取る。
【００１９】
移動光学系４は、キャリッジと、キャリッジ内に配置された光源、ミラー、レンズなどの光学素子とを備える。なお、移動光学系４内にイメージセンサーを配置し、原稿などからの反射光をそのイメージセンサーで受光し反射光に応じた電気信号（つまり、原稿画像の電気信号）を出力するようにしてもよいし、移動光学系４外にイメージセンサーを配置し、移動光学系４から出射されてくる、原稿などからの反射光をそのイメージセンサーで受光し反射光に応じた電気信号（つまり、原稿画像の電気信号）を出力するようにしてもよい。
【００２０】
例えば、移動光学系４における光源は、主走査方向に沿って配置され、配列された複数の発光ダイオードで光を出射する。その光源から出射された光は、移動光学系４の位置に応じて、コンタクトガラス１上に載置された原稿などで反射する。移動光学系４内のミラー、レンズなどの光学素子は、その反射光を、移動光学系４内のイメージセンサーに入射させたり、その反射光を、移動光学系４外の光学素子を介して外部のイメージセンサーに入射させたりする。
【００２１】
例えば、イメージセンサーは、主走査方向に配列された所定の画素数の受光素子を有する一次元イメージセンサーであり、ラインごとに、その画素数の画素についての受光量に対応する電気信号を出力する。イメージセンサーとしては、例えば、ＣＣＤ（Charge Coupled Device）が使用される。
【００２２】
また、原稿カバー５は、コンタクトガラス１を覆うために回動自在に設置されている略平板状の部材である。原稿カバー５は、白色の平板状の弾性部材５ａを備える。弾性部材５ａは、例えば、スポンジなどの弾性材料で形成された弾性基材シートに白色樹脂シートが接合されているものである。原稿カバー５は、弾性部材５ａによって、原稿をコンタクトガラス１に密着させるとともに、画像読取時に環境光がコンタクトガラス１から装置内部へ入射することを防ぐ。
【００２３】
図２は、実施の形態１に係る画像読取装置を示す上面図である。なお、コンタクトガラス１および原稿ガイド２，３より外側の部分については図示を省略している。
【００２４】
図２に示すように、移動光学系４の上面には、所定の位置に配置位置指示部１１が設けられている。配置位置指示部１１は、所定の身分証明カードの配置位置を指示する、マーカー、ラインなどの表示である。公的な身分証明カードのサイズが規定されているため、身分証明カードのサイズに合わせた配置位置が配置位置指示部１１によって指示される。
【００２５】
実施の形態１では、配置位置指示部１１は、移動光学系４がコンタクトガラス１の下方へ移動することで、コンタクトガラス１の下方に配置される。つまり、ユーザーは、コンタクトガラス１を介して配置位置指示部１１を視認することができる。
【００２６】
配置位置指示部１１は、配置位置への印刷、塗装などによる塗料で構成されてもよいし、配置位置へ貼り付けられたシール状の平面部材でもよい。
【００２７】
なお、図２に示すように、移動光学系４のレンズ、光源などの光学素子１２（あるいは光学素子１２のための開口部）についての入射光または出射光を配置位置指示部１１によって遮らないように、光学素子１２（その開口）上を除外して配置位置指示部１１が配置される。
【００２８】
この実施の形態１では、配置位置指示部１１は、主走査方向に沿って身分証明カードの複数の配置位置を指示している。これにより、１回のスキャン動作で複数枚の身分証明カードの画像を読み取ることができる。
【００２９】
図３は、本発明の実施の形態に係る画像読取装置の電気的な構成を示すブロック図である。
【００３０】
図３において、ユーザーインターフェイス３１は、ユーザー操作を検出するキースイッチ、タッチパネルなどの入力装置と、ユーザーに対して各種情報を表示する液晶ディスプレイなどの表示装置とを有する。
【００３１】
イメージセンサー３２は、上述のように、移動光学系４の内または外に配置され、原稿からの反射光を所定の光学系を介して受光し、原稿画像の電気信号を出力する。
【００３２】
駆動装置３３は、移動光学系４を副走査方向に移動させるための、モーターなどの装置である。
【００３３】
印刷部３４は、画像データに基づく画像を、電子写真方式などで印刷用紙に印刷する内部装置である。
【００３４】
画像処理装置３５は、イメージセンサー３２で読み取られた原稿画像に対して画像処理を行う装置である。画像処理装置３５は、例えばＡＳＩＣ（Application Specific Integrated Circuit）や、制御プログラムに従って動作するコンピューターなどで実現される。記憶装置３６は、ハードディスク、不揮発性メモリーなどの不揮発性の記憶装置であって、各種データや制御プログラムを記憶する。
【００３５】
画像処理装置３５は、制御部４１、カード画像取得部４２、およびカード画像出力部４３を備える。
【００３６】
制御部４１は、ユーザーインターフェイス３１、イメージセンサー３２、駆動装置３３などの内部装置の制御などを行い、移動光学系４にスキャン動作を実行させ、上述の所定範囲の画像をイメージセンサー３２から取得する。その際、制御部４１は、駆動装置３３を使用して、移動光学系４を副走査方向に沿って移動させつつ、イメージセンサー３２から画像信号を取得する。
【００３７】
この実施の形態１では、ユーザーに身分証明カードを所定の配置位置に載置させるために、制御部４１は、図２に示すように、コンタクトガラス１の下方の所定の位置（配置位置指示部１１がユーザーにより視認可能な位置）へ移動光学系４を移動させる。
【００３８】
カード画像取得部４２は、上述の所定範囲（つまり、移動光学系４の読取範囲）の画像（以下、全体スキャン画像という）における、配置位置指示部１１により指示される配置位置に対応する領域から身分証明カードの画像を抽出する。
【００３９】
この実施の形態１では、この配置位置は、移動光学系４の副走査方向での位置および移動光学系４上での配置位置指示部１１の位置に基づき特定される。
【００４０】
つまり、カード画像取得部４２は、全体スキャン画像内で身分証明カードの画像を検索することなく、予め特定されている配置位置情報に基づいて、全体スキャン画像における身分証明カードの画像の位置をただちに特定し、身分証明カードの画像を抽出する。
【００４１】
カード画像出力部４３は、身分証明カードの画像データを記憶装置３６に格納したり、身分証明カードの画像データに基づいて、身分証明カードの画像（あるいは、身分証明カードの画像を含む所定書類の画像）を印刷部３４で印刷させたりする。
【００４２】
なお、カード画像出力部４３は、その画像データに対して必要に応じて各種画像処理（色補正、身分証明カードの記載事項のうちの不要情報のマスキングなど）を施してもよい。
【００４３】
次に、実施の形態１に係る画像読取装置の動作について説明する。図４は、実施の形態１に係る画像読取装置の動作を説明するフローチャートである。
【００４４】
ユーザーインターフェイス３１で所定のユーザー操作（モード切換操作）が検出されると、制御部４１は、動作モードを身分証明カード読取モードに移行する（ステップＳ１）。
【００４５】
身分証明カード読取モードに移行すると、制御部４１は、駆動装置３３を制御して、図２に示すように、移動光学系４をホームポジションから、コンタクトガラス１の下方の所定位置へ移動させる（ステップＳ２）。
【００４６】
その後、ユーザーが、配置位置指示部１１に合わせてコンタクトガラス１上に身分証明カードを載置し、所定のユーザー操作（スキャン開始操作）をユーザーインターフェイス３１に対して行う。
【００４７】
ユーザーインターフェイス３１でそのユーザー操作（スキャン開始操作）が検出されると、制御部４１は、駆動装置３３を制御して、移動光学系４をホームポジションに一旦戻した後（ステップＳ４）、副走査方向に沿って移動させながら、移動光学系４にスキャン動作を実行させ、イメージセンサー３２から画像信号（つまり、上述の全体スキャン画像）を取得する（ステップＳ５）。
【００４８】
そして、カード画像取得部４２は、固定の配置位置を示す既知の配置位置情報に基づいて、その全体スキャン画像における身分証明カードの画像の位置を特定し、身分証明カードの画像を抽出し、身分証明カードの画像の部分のみの画像データを生成する（ステップＳ６）。
【００４９】
つまり、上述の所定範囲（移動光学系４の読取範囲）、その所定範囲内での配置位置指示部１１の位置、および全体スキャン画像のサイズはすべて既知であるので、上述の所定範囲（移動光学系４の読取範囲）に対する配置位置指示部１１の位置関係に基づいて、全体スキャン画像内の身分証明カードの画像の位置が特定される。
【００５０】
なお、図３に示すように、配置位置指示部１１が複数の配置位置を示す場合、複数の配置位置に対応する位置から複数の身分証明カードの画像が抽出され、それぞれの画像データが生成される。
【００５１】
このようにして、カード画像取得部４２が身分証明カードの画像データを生成すると、カード画像出力部４３は、その画像データに基づいて印刷部３４で身分証明カードの印刷を行ったり、身分証明カードの画像データを記憶装置３６に格納したりする。
【００５２】
以上のように、上記実施の形態１によれば、配置位置指示部１１は、コンタクトガラス１の下方に配置され、所定の身分証明カードの配置位置を指示する。移動光学系４は、コンタクトガラス１上の所定範囲の画像を読み取る。カード画像取得部４２は、その所定範囲の画像における、配置位置指示部１１により指示される配置位置に対応する領域から身分証明カードの画像を抽出する。
【００５３】
これにより、全体スキャン画像内で身分証明カードの画像を検索することなく、ただちに、身分証明カードの画像の位置を特定できるため、正確にかつ短時間で身分証明カードの画像データを取得することができる。
【００５４】
実施の形態２．
【００５５】
図５は、実施の形態２に係る画像読取装置を示す上面図である。なお、コンタクトガラス１および原稿ガイド２，３より外側の部分については図示を省略している。
【００５６】
実施の形態２では、配置位置指示部６１は、コンタクトガラス１の副走査方向の後端の下方に配置されている。実施の形態２では、底面となる板金などの構造物６２上に、配置位置指示部１１と同様の配置位置指示部６１が設けられている。
【００５７】
実施の形態２では、コンタクトガラス１で読取可能な最大原稿サイズ（図５ではＡ３サイズ）の外側の余白部分を利用して身分証明カードの画像が読み取られる。
【００５８】
このような後端部分は通常のシート原稿の画像読取で利用される頻度が低く、配置位置指示部６１が設けられていても、身分証明カードの画像読取以外の、通常のシート原稿の画像読取の際には目立たずに済む。また、ユーザーが配置位置指示部６１を視認する際に移動光学系４を実施の形態１（ステップＳ２，Ｓ４）のように移動させる必要がない。
【００５９】
実施の形態２に係る画像形成装置のその他の構成および動作については実施の形態１のものと同様であるので、その説明を省略する。
【００６０】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００６１】
例えば、上記実施の形態１，２において、図２および図５に示すような配置位置指示部１１，６１に、「表」および「裏」などの、身分証明カードの読取面を指示する表示を付し、カード画像取得部４２は、配置位置に応じて、身分証明カードの読取面（表または裏）を特定し、身分証明カードの画像データに対して、読取面を示す読取面情報を関連付けるようにしてもよい。これにより、例えば、カード画像出力部４３が、所定のテンプレート画像内で、予め設定されている表（おもて）面の画像領域に、表（おもて）面の画像データに基づく画像を挿入し、予め設定されている裏面の画像領域に、裏面の画像データに基づく画像を挿入するようにしてもよい。例えば、配置位置指示部１１，６１において、図２および図５に示すような配置位置指示部１１，６１の２つの配置位置のうちの一方に「表」という文字が表示され、他方に「裏」という文字が表示される。
【００６２】
また、上記実施の形態１，２において、カード画像出力部４３は、抽出された身分証明カードの画像を印刷する際に（つまり、身分証明カードのコピーの場合）、印刷物上の身分証明カードの画像の一部が途切れないように、身分証明カードの画像の位置を副走査方向において内側に（実施の形態１では後方へ、実施の形態２では前方へ）所定長さ（例えば５ミリメートル）ずらしてから印刷を行うようにしてもよい。
【００６３】
また、上記実施の形態１において、原稿ガイド２において、配置位置指示部１１に対応する位置に、主走査方向における配置位置を示すためのガイド表示（目盛ラインなど）を設けてもよい。また、上記実施の形態２において、コンタクトガラス１の後端に接している枠に、主走査方向における配置位置を示すためのガイド表示やガイド凹部を設けてもよい。このガイド凹部は、身分証明カードのサイズに合わせて形成される。ユーザーは、このようなガイド表示やガイド凹部に合わせて身分証明カードを載置することで、より簡単に身分証明カードを載置することができる。さらに、上記実施の形態２において、ガイド凹部に合わせて身分証明カードが載置されたことを検知するセンサー（光学式センサー、接触式センサーなど）を設け、上述のステップＳ１のような明示的なユーザー操作が検出されなくても、このセンサーによってガイド凹部に合わせて身分証明カードが載置されたが検知された場合には、制御部４１は、自動的に動作モードを身分証明カード読取モードへ移行させるようにしてもよい。また、読取完了後に身分証明カードがコンタクトガラス１上に残されていることがこのセンサーによって検知された場合、制御部４１は、ユーザーインターフェイス３１を使用して、警告音、警告メッセージなどでその旨をユーザーに報知するようにしてもよい。
【００６４】
また、上記実施の形態１，２において、当該画像読取装置が、コンビニエンスストアなどの店舗に配置されている場合、制御部４１は、図示せぬ通信装置（有線または無線のネットワーク）を使用して、身分証明カード読取モードに移行したことを示す通知をその店舗内の端末装置やサーバーに送信するようにしてもよい。その場合、その店舗内の端末装置やサーバーは、店舗従業員に対して、身分証明カード読取モードで当該画像読取装置が使用されていることを（例えばＬＥＤなどの表示器を点滅させて）報知したり、その店舗内の端末装置やサーバーは、防犯カメラを制御して、当該画像読取装置周辺の映像を撮影したりしてもよい。さらに、その店舗内の端末装置やサーバーは、身分証明カード読取モードに移行したことを示す通知を受け付けた日時を（例えば上述の映像に関連付けて）記録するようにしてもよい。
【００６５】
また、上記実施の形態１，２において、カード画像出力部４３は、身分証明カードの画像データを記憶装置３６に格納する場合、身分証明カードの画像データを暗号化し、暗号化した身分証明カードの画像データを格納するようにしてもよい。
【００６６】
また、上記実施の形態１，２において、カード画像出力部４３は、身分証明カードの画像に対して「ＣＯＰＹ」などといった複写物であることを示すウォーターマークを重畳させるようにしてもよい。
【産業上の利用可能性】
【００６７】
本発明は、例えば、複合機などの画像形成装置に適用可能である。
【符号の説明】
【００６８】
１  コンタクトガラス
４  移動光学系
１１  配置位置指示部
３４  印刷部
４１  制御部
４２  カード画像取得部
４３  カード画像出力部
【図１】
0006468467.tif 000002
【図２】
0006468467.tif 000003
【図３】
0006468467.tif 000004
【図４】
0006468467.tif 000005
【図５】
0006468467.tif 000006